(57)【要約】【課題】  フレームの表裏両側に分割パネルを上下方向へ順次取付け、上下の分割パネル間にハンギング溝を設けたハンギングパネル装置において、ハンギングパネルの取付強度及び取付精度が高く、外観性においても上下方向の接合部が見えず、また横方向への連続性にも優れたハンギングパネル装置を提供する。【解決手段】  アルミ押出し型材の分割パネル２は、パネル本体１２上端の前縁に第１係止縁１３を突設し、後縁に固定片１３を突設し、パネル本体上端と第１係止縁及び固定片とで凹溝１５を形成し、パネル本体下端の後縁部に脚片１６を突設し、フレーム１の両縦杆８の前面側に分割パネルを沿わせて固定片を縦杆にネジ止めし、下段の分割パネルの凹溝内に、上段の分割パネルの脚片下端部を上方から嵌合して保持し、第１係止縁の上方の空間部及び残余の凹溝とでハンギング溝７を形成する。【選択図】        図３
2009102850.tif 000002
【特許請求の範囲】
【請求項１】
フレームの表裏両側に分割パネルを上下方向へ順次取付け、上下の分割パネル間にハンギング溝を設けたハンギングパネル装置であって、前記分割パネルは、アルミ押出し型材を適宜長さに切断したものであり、パネル本体上端の前縁に第１係止縁を上方へ突設するとともに、後縁に該第１係止縁よりも上方へ延びた固定片を突設し、前記パネル本体上端と第１係止縁及び固定片とで上方へ開口した凹溝を形成し、パネル本体下端の後縁部に前記固定片の前面側で前記凹溝内に係合し得る形状の脚片を下方へ突設し、前記フレームの両縦杆の前面側に分割パネルを沿わせて前記固定片を前方から前記縦杆にネジ止めし、下段の分割パネルの凹溝内に、第１係止縁の上方に空間部を残して上段の分割パネルの脚片下端部を上方から嵌合して保持するとともに、前記第１係止縁の上方の空間部及び残余の凹溝とでハンギング溝を形成することを特徴とするハンギングパネル装置。
【請求項２】
前記分割パネルのパネル本体下端であって、前記脚片の背面側に下段の分割パネルの固定片の上端を嵌合する係合溝を形成してなる請求項１記載のハンギングパネル装置。
【請求項３】
前記分割パネルの脚片の下端に前方へ延びた受片を形成し、該受片を下段の分割パネルの凹溝の底面に係合してなる請求項１又は２記載のハンギングパネル装置。
【請求項４】
前記分割パネルのパネル本体下端の前縁に、前記脚片よりも短い第２係止縁を下方へ突設して、前記パネル本体下端と第２係止縁及び脚片とで下方へ開口した溝部を形成し、前記フレームの上下に取付けた分割パネル間に断面略Ｔ字形の空間からなるハンギング溝を形成してなる請求項１〜３何れかに記載のハンギングパネル装置。
【発明の詳細な説明】
【技術分野】
【０００１】
本発明は、ハンギングパネル装置に係わり、更に詳しくは分割パネルをフレームに順次取付けて上下の分割パネル間にハンギング機能を設けたハンギングパネル装置に関するものである。
【背景技術】
【０００２】
従来からハンギング機能を有するパネル板をフレームの縦枠に取付けたハンギングパネル装置は各種提供されている。例えば、特許文献１には、ハンギングパネルに横方向に延出する上下２列の受溝を前面に有し、各受溝の間には前板および後板が連結されており、前板の両端にはネジの挿通孔が設けられ、該挿通孔から止ネジを挿通し、後板に設けた取付孔を通して支柱に穿設したネジ孔に螺着し、後板を支柱に取付けた構造が開示されている。
【０００３】
特許文献２には、表面に複数個の係止片を上下に有し、下縁に嵌合部の一方を設けた上部パネル材と、表面に複数個の係止片を上下に有し、上縁に嵌合部の他方を設けた下部パネル材と、嵌合させた上部パネル材と下部パネル材の背面にわたって位置する連結金具とよりなり、上部パネル材と下部パネル材を嵌合部にて取付けて一枚のパネル材とし、連結金具を上部パネル材と下部パネル材の背面にわたって位置させ、該連結金具背面からボルト止めして組み立ててなるハンギングパネルが開示され、上下のハンギング機能を有するパネルを嵌合して一連のパンギングパネルを構成する点が開示されている。
【０００４】
特許文献３には、支持フレームの両側には上下方向に一定間隔毎にフック片を形成し、単位パネルの表面板の上縁には断面倒コ字形の突縁とその後部に上方へ開放した係合溝を形成するとともに、表面板の下縁には前記係合溝に落し込み係合する係合縁を形成し、単位パネルを、その突縁の内方に形成された下方開放の溝を下段のフック片に係止した状態で、該単位パネルの上部の係合溝に、上段に取付ける他の単位パネルの係合縁を落し込み係合すると同時に、該他の単位パネルの突縁の内方の溝を上段のフック片に係止し、これを繰り返して次々に単位パネルを最上段まで取付け、上下の単位パネル間に突縁と凹溝とからなるハンギング溝を形成する構造が開示されている。
【０００５】
特許文献４には、上縁に沿ってトレー等のオプション品を係止するための係止レールを前面側に開放して形成したブロックパネルを、その背面の両側上下部に設けた下向きフックを、フレームの両側縦杆に設けた上下一対の係止孔に嵌合係止して取付けたハンギング機能付きブロックパネル装置が開示されている。
【０００６】
しかし、特許文献１のハンギングパネルの取付構造は、前板にネジやドライバー等を挿入するための挿通孔が形成され、取付後にもこの挿通孔が露出した状態となるので、外観性を損なうといった欠点があるばかりでなく、上下のハンギングパネルの接合線が見えるので外観性において上下方向に不連続となる。また、特許文献２〜４に記載のものは、何れもハンギングパネルをフレームにフックや嵌合によって係止する構造であり、フレームに完全に固定されてないので、重量物を係止する用途には適せず、また取付精度に劣るので上下の目地間隔にばらつきが生じる。また、従来のものがハンギング機能を部分的に設けることを想定していることから、パネルを横方向へ複数連設する場合には、横方向への外観上における連続性がないのである。
【特許文献１】実公平０７−０２１６８８号公報
【特許文献２】実用新案登録第２５８４９３２号公報
【特許文献３】特開平０８−１７３２８１号公報
【特許文献４】特開２００７−１５４６４５号公報
【発明の開示】
【発明が解決しようとする課題】
【０００７】
そこで、本発明が前述の状況に鑑み、解決しようとするところは、フレームの表裏両側に分割パネルを上下方向へ順次取付け、上下の分割パネル間にハンギング溝を設けたハンギングパネル装置において、ハンギングパネルの取付強度及び取付精度が高く、外観性においても上下方向の接合部が見えず、また横方向への連続性にも優れたハンギングパネル装置を提供する点にある。
【課題を解決するための手段】
【０００８】
本発明は、前述の課題解決のために、フレームの表裏両側に分割パネルを上下方向へ順次取付け、上下の分割パネル間にハンギング溝を設けたハンギングパネル装置であって、前記分割パネルは、アルミ押出し型材を適宜長さに切断したものであり、パネル本体上端の前縁に第１係止縁を上方へ突設するとともに、後縁に該第１係止縁よりも上方へ延びた固定片を突設し、前記パネル本体上端と第１係止縁及び固定片とで上方へ開口した凹溝を形成し、パネル本体下端の後縁部に前記固定片の前面側で前記凹溝内に係合し得る形状の脚片を下方へ突設し、前記フレームの両縦杆の前面側に分割パネルを沿わせて前記固定片を前方から前記縦杆にネジ止めし、下段の分割パネルの凹溝内に、第１係止縁の上方に空間部を残して上段の分割パネルの脚片下端部を上方から嵌合して保持するとともに、前記第１係止縁の上方の空間部及び残余の凹溝とでハンギング溝を形成することを特徴とするハンギングパネル装置を構成した（請求項１）。
【０００９】
ここで、前記分割パネルのパネル本体下端であって、前記脚片の背面側に下段の分割パネルの固定片の上端を嵌合する係合溝を形成してなることが好ましい（請求項２）。
【００１０】
また、前記分割パネルの脚片の下端に前方へ延びた受片を形成し、該受片を下段の分割パネルの凹溝の底面に係合してなることも好ましい（請求項３）。
【００１１】
そして、前記分割パネルのパネル本体下端の前縁に、前記脚片よりも短い第２係止縁を下方へ突設して、前記パネル本体下端と第２係止縁及び脚片とで下方へ開口した溝部を形成し、前記フレームの上下に取付けた分割パネル間に断面略Ｔ字形の空間からなるハンギング溝を形成してなることがより好ましい（請求項４）。
【発明の効果】
【００１２】
以上にしてなる請求項１に係る発明のハンギングパネル装置は、分割パネルは下端の脚片を下段の分割パネルの凹溝に嵌合して保持し、上端は固定片をフレームの縦杆に直接ネジ止めするので、取付強度が非常に高くなり、また分割パネルはアルミ押出し型材を適宜長さに切断したものであるので、凹溝と脚片の形状精度が高く、それにより取付精度も高くなり、またフレームの縦杆に固定片をネジ止めした部分は上方の分割パネルの脚片で隠蔽され、更に上下の分割パネルの接合部は凹溝内に隠れてあたかも一体のパネルとなるので、外観性に非常に優れている。また、分割パネルはアルミ押出し型材を適宜長さに切断したものであるので、軽量且つ強度が高いので、ハンギング溝の支持強度が高くなり、重量物でも係止することができる。更に、分割パネルの横幅に対しては自由に設定することができる。
【００１３】
請求項２によれば、分割パネルのパネル本体下端であって、脚片の背面側に下段の分割パネルの固定片の上端を嵌合する係合溝を形成してなるので、上下の分割パネルの嵌合が、脚片と凹溝及び固定片の上端と係合溝の二箇所になり、パネル面外方向の変位をガタつきなく確実に規制することができる。
【００１４】
請求項３によれば、分割パネルの脚片の下端に前方へ延びた受片を形成し、該受片を下段の分割パネルの凹溝の底面に係合してなるので、脚片を凹溝内に嵌合した際に、脚片の先端の前方へ延びた受片が凹溝の底面に係合することで、第１係止縁と脚片との間に受片の幅だけの溝部を確実に確保することができ、所定の断面形状のハンギング溝を形成することができ、更に凹溝と脚片の嵌合がより確実になる。
【００１５】
請求項４によれば、分割パネルのパネル本体下端の前縁に、脚片よりも短い第２係止縁を下方へ突設して、パネル本体下端と第２係止縁及び脚片とで下方へ開口した溝部を形成したことにより、フレームの上下に取付けた分割パネル間に断面略Ｔ字形の空間からなるハンギング溝を形成することができる。
【発明を実施するための最良の形態】
【００１６】
次に、添付図面に示した実施形態に基づき、本発明を更に詳細に説明する。図１〜図５は、本発明に係るハンギングパネル装置の代表的実施形態を示し、図中符号１はフレーム、２は分割パネル、３は巾木、４は笠木、５は端部カバー、６は巾木カバー、７はハンギング溝をそれぞれ示している。
【００１７】
本発明に係るハンギングパネル装置は、金属製で枠組み形成したフレーム１の表裏両面に、共にアルミ押出し型材からなる巾木３、分割パネル２，…を下方から上方へ向けて順次取付け、上端に笠木４を取付け、そして側端部に複数の端部カバー５，…及び巾木カバー６を取付け、上下の分割パネル２，２間、最下段の分割パネル２と巾木３間、最上段の分割パネル２と笠木４間に横方向に延びたハンギング溝７，…を形成した構造である。
【００１８】
本発明に係るハンギングパネル装置を側方へ連設するには、前記フレーム１，１を直接連結し、それぞれのフレーム１に、あるいは複数のフレーム１，…に渡って前記分割パネル２等を取付ける。ここで、前記フレーム１は、スチール製の両縦杆８，８の少なくとも上下端部に横杆９．９を連結して構成し、上下高さが高いタイプでは上下の横杆９，９の間に単又は複数の横桟を連結して強度を確保する。
【００１９】
前記端部カバー５は前記分割パネル２の上下幅と同じ上下寸法に設定するとともに、前記巾木カバー６巾木３の上下幅と同じ上下寸法に設定し、上下の端部カバー５，５間、最下段の端部カバー５と巾木３間及び最上段の端部カバー５と笠木キャップ１０との間に、前記ハンギング溝７と連続する横溝１１，…が形成されるようになっている。
【００２０】
更に詳しくは、前記分割パネル２は、図４及び図５に示すように、アルミ押出し型材を適宜長さに切断したものであり、パネル本体１２上端の前縁に第１係止縁１３を上方へ突設するとともに、後縁に該第１係止縁１３よりも上方へ延びた固定片１４を突設し、前記パネル本体１２上端と第１係止縁１３及び固定片１４とで上方へ開口した凹溝１５を形成し、パネル本体１２下端の後縁部に前記固定片１４の前面側で前記凹溝１５内に係合し得る形状の脚片１６を下方へ突設している。
【００２１】
このような構造の複数の分割パネル２，…を前記フレーム１の両縦杆８，８に下方から上方へ向けて順次ネジ止めするのである。つまり、前記フレーム１の両縦杆８，８の前面側に分割パネル２を沿わせて前記固定片１４に穿設した通孔１７を前方から前記縦杆８にネジ１８で固定し、下段の分割パネル２の凹溝１５内に、第１係止縁１３の上方に空間部を残して上段の分割パネル２の脚片１６下端部を上方から嵌合して保持することにより、前記第１係止縁１３の上方の空間部及び残余の凹溝１５とでハンギング溝７を形成するのである。
【００２２】
また、前記分割パネル２のパネル本体１２下端であって、前記脚片１６の背面側に下段の分割パネル２の固定片１４の上端を嵌合する係合溝１９を形成し、更に前記分割パネル２の脚片１６の下端に前方へ延びた受片２０を形成している。そして、上段の分割パネル２の脚片１６を下段の分割パネル２の凹溝１５内に嵌合する際に、下段の分割パネル２の固定片１４の上端を前記係合溝１９に嵌合すると同時に、前記受片２０を下段の分割パネル２の凹溝１５の底面に係合し、ガタつきのない精確な嵌合を実現している。
【００２３】
更に、前記分割パネル２のパネル本体１２下端の前縁に、前記脚片１６よりも短い第２係止縁２１を下方へ突設して、前記パネル本体１２下端と第２係止縁２１及び脚片１６とで下方へ開口した溝部２２を形成してあり、それにより前記フレーム１の上下に取付けた分割パネル２，２間に断面略Ｔ字形の空間からなるハンギング溝７を形成するのである。つまり、下段の分割パネル２の第１係合縁１３と上段の分割パネル２の第２係合縁２１の間には開口溝が形成され、その内部に上下部に広がった空間を有するハンギング溝７が形成されるのである。
【００２４】
また、前記分割パネル２のパネル本体１２は、外形が断面略四角形の偏平な中空状となっており、前板２３と裏板２４の上下端及び中間部を連結部２５で連結した強度の高い構造である。また、分割パネル２の表面側は、横方向に延び、上下方向に繰り返しの波形面となっている。本実施形態では、分割パネル２をフレーム１に取付けた状態で、上下のハンギング溝７のピッチが２００ｍｍになるように、重なり部分を考慮して上下寸法が決められている。また、分割パネル２の横方向の寸法は、９００〜４５００ｍｍまでの範囲で複数種類を用意する。これは、アルミ押出し型材を適宜長さに切断するだけであるので容易である。
【００２５】
前記分割パネル２の切断端面を覆うために合成樹脂製の端部キャップ２６を嵌着する。この端部キャップ２６は、前記ハンギング溝７の開口溝を除いて分割パネル２の切断端面を覆う形状の化粧板２７の内側面に前記パネル本体１２等の中空部に嵌合する突部２８，…を突設したものである。前記端部キャップ２６の化粧板２７は、分割パネル２，２を左右に接近させてフレーム１に取付けた際に、接合部に２枚が重なって縦目地を形成するが、その板厚を薄くしていることから、大きくは目立たないようになっている。
【００２６】
前記巾木３の上部の構造は、前記分割パネル２の上部構造と一致し、また前記笠木４の両側下部構造は、前記分割パネル２の下部構造と一致するようにしている。従って、先ず巾木３を固定片１４に相当する固定片を縦枠８，８にネジ止めし、その上方に前述のように順次分割パネル２，…を下段のネジ止め箇所を隠しながらネジ止めし、これをフレーム１の表裏両面で行い、最後に笠木４を上方から上端の横杆９に取付けて前記脚片１６に相当する一対の脚片で最上段の分割パネル２，２のネジ止め箇所を隠すのである。また、前記端部カバー５及び巾木カバー６は、前記分割パネル２の表面と同じ波形面となっており、端部に位置する縦枠８に適宜な係止手段等を用いて、間に横溝１１を形成しながら、下方から順次取付けるのである。このようにすることにより、分割パネル２及びハンギング溝７、更に表面模様までもが外観性において端部から裏面へ連続するのである。
【００２７】
以上の実施形態では、全て分割パネル２，…でフレーム１を覆い尽くすものであったが、図６及び図７に示した実施形態は、一部にガラスパネル２９を装着したものである。このガラスパネル２９は、四角形の枠体３０の表面側のガラス板３１を貼着したものを、フレーム１の両縦杆８，８にネジ止めするのである。前記枠体３０の上縁の構造は、前記分割パネル２の上部の構造と一致し、枠体３０の下縁の構造は、前記分割パネル２の下部の構造と一致するように形成している。従って、前記分割パネル２と同様にフレーム１にネジ止めし、その上下に位置する分割パネル２との間にハンギング溝７が形成されるのである。
【００２８】
図８は、二つのフレーム１，１を、縦枠８，８同士を貫通させたボルトで連結して、２倍幅の複合フレームを形成し、その複合フレームに渡る横寸法の分割パネル２，…、巾木３、笠木４を取付けた実施形態である。
【００２９】
また、図９及び図１０は、前記フレーム１に下キャビネット３２を取付けた実施形態を示している。前記下キャビネット３２を設ける位置には前記分割パネル２，…は取付けずに、前記フレーム１の両縦杆８，８を露出させる。前記フレーム１の縦枠８には、その外側縁に沿って上下方向に一定間隔毎に係止孔３３，…を有し、上部には両縦杆８，８に亘る長さのビーム部材３４の両端に設けたフック３５，３５を係止孔３３，３３に係止して渡設し、下部には両縦杆８，８にそれぞれ係止部材３６，３６のフック３７，３７を係止孔３３，３３に係止して保持し、前面から下キャビネット３２の背板３８を前記ビーム部材３４と係止部材３６，３６にネジ止めするのである。尚、図示しないが、上キャビネットを前記フレーム１に取付ける場合も前記同様である。
【図面の簡単な説明】
【００３０】
【図１】本発明に係るハンギングパネル装置の正面図である。
【図２】同じく一部省略した縦断面図である。
【図３】フレームに分割パネルを取付ける様子を示した部分分解斜視図である。
【図４】同じくフレームに分割パネルを取付ける様子を示した部分拡大縦断面図である。
【図５】分割パネルの構造と端部キャップを示す部分分解斜視図である。
【図６】一部にガラスパネルを設けたハンギングパネル装置の正面図である。
【図７】同じく一部にガラスパネルを設けたハンギングパネル装置を示し、（ａ）は縦断面図、（ｂ）は拡大縦断面図である。
【図８】複数の連結したフレームに長尺の分割パネルを取付けた実施形態を示す正面図である。
【図９】下部に下キャビネットを設けたハンギングパネル装置の正面図である。
【図１０】同じくフレームと下キャビネットの取付構造を示し、（ａ）は取付状態の一部省略した側面図、（ｂ）はフレームに下キャビネットを取付けるためのビーム部と係止部材を装着した状態の部分正面図である。
【符号の説明】
【００３１】
１  フレーム、            ２  分割パネル、
３  巾木、                ４  笠木、
５  端部カバー、          ６  巾木カバー、
７  ハンギング溝、        ９  横杆、
１０  笠木キャップ、      １１  横溝、
１２  パネル本体、        １３  第１係止縁、
１４  固定片、            １５  凹溝、
１６  脚片、              １７  通孔、
１８  ネジ、              １９  係合溝、
２０  受片、              ２１  第２係止縁、
２２  溝部、              ２３  前板、
２４  裏板、              ２５  連結部、
２６  端部キャップ、      ２７  化粧板、
２８  突部、              ２９  ガラスパネル、
３０  枠体、              ３１  ガラス板、
３２  下キャビネット、    ３３  係止孔、
３４  ビーム部材、        ３５  フック、
３６  係止部材、          ３７  フック、
３８  背板。
【図１】
2009102850.tif 000003
【図２】
2009102850.tif 000004
【図３】
2009102850.tif 000005
【図４】
2009102850.tif 000006
【図５】
2009102850.tif 000007
【図６】
2009102850.tif 000008
【図７】
2009102850.tif 000009
【図８】
2009102850.tif 000010
【図９】
2009102850.tif 000011
【図１０】
2009102850.tif 000012